(57)【要約】  【解決手段】  防護部材を支持するための選択的に収縮可能なトラスを含む可搬式防護システムを提供する。当該トラスは、収縮位置と拡張位置の間で移動可能である。防護部材は、発射物を粉砕するための弾道装甲材料の少なくとも１つの層を含む。当該トラスは、防護部材をトラスに解除可能に接続するのに好適なコネクタを含み、また、防護壁を形成するように、トラスを隣り合ったトラスに解除可能に接続するのに好適なコネクタも含む。  【選択図】      図１
2012506989.tif 000002
【特許請求の範囲】
【請求項１】
選択的に収縮可能なトラスと、
前記トラスによって担持され、発射物を粉砕させるための少なくとも１つの弾道装甲層を有する少なくとも１つの防護部材と、
を備える可搬式防護デバイス。
【請求項２】
前記少なくとも１つの防護部材が、前記トラスから選択的に解除可能である、請求項１に記載される可搬式防護デバイス。
【請求項３】
前記少なくとも１つの防護部材が、
弾道装甲パネルと、
前記弾道装甲パネルを前記トラスに固定するために、前記トラスに解除可能に係合するように適合した複数のコネクタと、
を備える、請求項２に記載の可搬式防護デバイス。
【請求項４】
前記コネクタの各々が、
前記トラスに係合するように適合され、前記弾道装甲パネルの表面に沿って設けられたフックと、
前記弾道装甲パネルの前記表面に沿って前記フックに近接して設けられ、前記弾道装甲パネルに沿って第１の位置から第２の位置まで選択的に回転することができるように構成され、それによって、前記第２の位置まで回転したときに前記トラスから前記フックが係合解除されないようにする枢動部材と、
を備える、請求項３に記載の可搬式防護デバイス。
【請求項５】
前記少なくとも１つの防護部材が、隣接する防護部材の少なくとも１つの縁部と重なるように適合される少なくとも１つの傾斜した縁部を規定する、請求項２に記載の可搬式防護デバイス。
【請求項６】
前記トラスが、
前記第１のフレームおよび第２のフレームのうち少なくとも１つが、前記少なくとも１つの防護部材に選択的に固定されるように適合される第１のフレームおよび第２のフレームと、
前記第１のフレームと前記第２のフレームとの間に延び、前記第２のフレームに対して離隔して前記第１のフレームを支持し、収縮位置と拡張位置との間で選択的に移動可能である複数の支持部材と、
をさらに含む、請求項１に記載の可搬式防護デバイス。
【請求項７】
前記複数の支持部材が、前記第１のフレームと第２のフレームとの間に延びる複数の選択的に拡張可能な部材によって規定され、前記選択的に拡張可能な部材が、前記トラスを選択的収縮可能および選択的に拡張可能にすることを可能にするために、前記第１のフレームを前記第２のフレームに近接して選択的に再配置できるように構成される、請求項６に記載の可搬式防護デバイス。
【請求項８】
前記複数の支持部材の各々が、前記第１のフレームおよび第２のフレームのうち少なくとも１つから選択的に解除可能である、請求項６に記載の可搬式防護デバイス。
【請求項９】
前記少なくとも１つの防護部材が、実質的に剛性の弾道材料の少なくとも１つの層と、実質的に可撓性の弾道材料の少なくとも１つの層とをさらに備える、請求項１に記載の可搬式防護デバイス。
【請求項１０】
実質的に剛性の弾道材料の前記少なくとも１つの層が、スチール、弾道セラミック、ガラスセラミック、弾道ポリマー、および発泡金属装甲からなる群から選択される、請求項９に記載の可搬式防護デバイス。
【請求項１１】
実質的に可撓性の弾道材料の前記少なくとも１つの層が、破砕ブランケット材料、ガラス繊維、および可撓性ポリマーからなる群から選択される、請求項９に記載の可搬式防護デバイス。
【請求項１２】
前記少なくとも１つの防護部材が、
弾道装甲パネルと、
前記弾道装甲パネルによって規定されたポータルと、
前記ポータル内に固定された窓と、
を備える、請求項１に記載の可搬式防護デバイス。
【請求項１３】
前記窓が、前記ポータル内に解除可能に固定される、請求項１２に記載の可搬式防護デバイス。
【請求項１４】
前記窓が選択的に開閉可能であり、前記窓が前記ポータル内に前記窓を解除可能に固定するためのラッチを含むように、前記ポータルに近接して前記弾道装甲パネルにヒンジ留めされる、請求項１３に記載の可搬式防護デバイス。
【請求項１５】
前記トラスに解除可能に固定された支柱をさらに備え、前記支柱が、前記トラスを直立位置で支持するように適合される、請求項１に記載の可搬式防護デバイス。
【請求項１６】
前記支柱が、
前記トラスに解除可能に固定された直立部材と、
近位端部および遠位端部を有し、前記近位端部が前記直立部材に連結され、前記遠位端部が、前記トラスが前記直立位置で支持されるとき、前記トラスからフロア表面に向かって外向きに延びるフロア部材と、
を備える、請求項１５に記載の可搬式防護デバイス。
【請求項１７】
分散性材料を保持するための容器をさらに備え、前記容器が、前記トラス内に設けられる、請求項１に記載の可搬式防護デバイス。
【請求項１８】
前記分散性材料が、砂、コンクリート、岩、水、ゲル、および濃縮流体からなる群から選択される、請求項１７に記載の可搬式防護デバイス。
【請求項１９】
前記トラスに担持された可撓性の装甲ブランケットをさらに備え、前記可撓性の装甲ブランケットが、粉砕された発射物の粉砕を制御するように適合される、請求項１に記載の可搬式防護デバイス。
【請求項２０】
前記トラスに固定されるように適合される少なくとも１つの装着レールを有し、前記少なくとも１つの装着レールによって担持された少なくとも１つのルーフフレームをさらに有する、ルーフ構造と、
前記複数のルーフフレームのうち少なくとも１つに解除可能に固定され、発射物を粉砕するための少なくとも１つの弾道装甲層を有する、少なくとも１つのルーフ防護部材と、
をさらに備える、請求項１に記載の可搬式防護デバイス。
【発明の詳細な説明】
【技術分野】
【０００１】
本出願は、２００５年４月２５日付けで出願された先の米国特許出願第１１／１１３、１４９号の一部継続出願である。
【０００２】
本発明は、弾道発射物、爆破または他のそのような脅威などの脅威に対する防護バリアを確立するために組み立てることができる可搬式防護システムに関する。より詳細には、本発明は、防護壁を形成するために装甲層を担持するように適合されたモジュラ型可搬式構造に関する。
【背景技術】
【０００３】
軍事行動において、また民間人の行動に関して危険性の高いエリアにおいて、弾道発射物、爆発物、化学攻撃、ならびに簡易爆発物の起爆による力および物体（本明細書では集合的に「発射物」）から人員および重要な機器を保護することが重要である。発射物から人員および機器を保護するために、そのような発射物が標的に達するのを防止するために発射物の運動エネルギーを分散させるための手段を提供することが必要である。そのような発射物の運動エネルギーを分散させる効率的な手段は、保護されるべき物体および人と到来する脅威との間にシールドを挿入することである。弾道材料で製造されたシールドは、発射物に対する少なくとも何らかの保護を提供することがよく知られている。本明細書で使用される場合、「弾道」材料とは、発射物を止める、あるいは、発射物の進行の速度を著しく遅くする特性を有するものとして定義される。しかしながら、弾道シールドは、すべての状況下においてすべてのタイプの発射物により完全に貫通されないわけではないことが理解されよう。
【０００４】
軍事行動および他のそのような用途では、到来する発射物からの攻撃の脅威の下にある間、あるエリアに人員、機器などを移動し、防御可能なポジションを確立することがしばしば必要になる。そのような状況では、到来する発射物からエリアを防護するために弾道シールドを組み込んでいる構造がしばしば使用され、それにより、人員が弾道シールド構造の後ろ側で到来する発射物から身を守ること可能になる。コンクリート壁または土嚢で形成された壁などの従来の弾丸シールド構造を使用するとき、そのような従来の弾丸シールド構造は容易に持ち運ぶことができないという点で問題が生じ、そのような従来の弾道シールド構造の組立てには時間がかかり、多くの労働力を必要とすることが多い。結果的に、到来する発射物からの攻撃の脅威の下にある間の、そのような従来の弾丸シールド構造の組立て、および使用は、しばし実用的ではない。
【０００５】
さらに、弾道シールド構造の使用を含むある特定の用途では、しばしば、たとえば、保安要員がセキュリティチェックポイントを通過する人および車両と接触する間などに、弾丸シールド構造によって防護された人員が、弾丸シールド構造の向こう側の人および物体を観察し、それらの人および物体と接触することが必要になる。そのような用途では、しばしば、チェックポイントを通過する人および物体から見て弾道シールド構造の反対側に１人または複数の保安要員を位置させたままにできるようにし、また、保安要員が、弾道シールド構造の後ろ側に提供された比較的安全な場所から人および物体を観察できるようにすることが望ましい。
【０００６】
従来のシールドシステムの例は、Ｖｉｖｅｓらの米国特許第６，６８１，６７９号、Ｆｕｇｕａの米国特許第６，８０７，８９０号、Ｌｅｖｅｌｌの米国特許第６，５８１，５０５号、Ｌｉｎｋｅｒらの米国特許第５，３８６，７８８号、およびＰａｇａｎｏらの米国特許第４，３９８，４４６号に開示され、それらの内容は本明細書に参照として組み込まれる。これらの従来のシールドシステムは、しばしば、容易には持ち運びできず、組立てが困難で、提供される防護が限定され、シングルセットアップ構成に限定され、１つのタイプの装甲しか支持せず、様々な脅威レベルまたは環境に対して調整することができない。さらに、これらの従来のシールドシステムでは、しばしば従来のシールドシステムを介した人および物体の観察、人および物体との接触ができないことが多い。
【発明の概要】
【課題を解決するための手段】
【０００７】
上述の目的は、対向する第１のフレームおよび第２のフレームを含む防護部材と、第１のフレームと第２のフレームとを接続する第１のフレームと第２のフレームの間に設けられた支持部材とを支持するためのトラスによって達成される。該支持部材は、選択的に移動可能であり、それにより第１のフレームと第２のフレームが互いに隣接している収縮位置と、第１のフレームおよび第２のフレームが互いに横方向に離間している拡張位置との間で、第１のフレームおよび第２のフレームが移動可能となる。該支持部材は、ロックによって拡張位置で解除可能に係止することができる。
【０００８】
防護部材に解除可能に係合するために、第１のフレームおよび第２のフレームのうち少なくとも１つの上に保持部材が設けられる。防護部材は、たとえば、弾道材料などの防護材料で製造されたパネルを含む。防護部材は、さらに、保持部材に係合するのに好適なコネクタを含み、それにより、パネルがトラスに解除可能に固定できるようになる。一実施形態では、パネルは、パネルを通る選択的アクセスを可能にするように適合された窓をさらに含む。別の実施形態では、ルーフ構造を形成するために、オーバーヘッド構成で、トラスに少なくとも１つのルーフ防護部材を選択的に固定できる。
【０００９】
トラス上に、複数のロケータ部材が設けられる。ロケータ部材は、隣接するトラスにトラスを係合し、選択的に固定するように構成され、それにより、複数のトラスを一緒に結束して、防護壁を形成することが可能になる。一実施形態では、地面などのフロア表面にトラスを固定するために、第１のフレームおよび第２のフレームのうち少なくとも１つの上に支柱部材が設けられる。別の実施形態では、砂などの分散性材料を保持するために、トラス内に容器が設けられる。さらに別の実施形態では、粉砕された弾道発射物の破砕を制御するために、可撓性の装甲ブランケットが提供される。
【００１０】
添付の図面と併せて理解され、本発明の好ましい実施形態を開示する以下の詳細な説明から、本発明のその他の目的、利点および顕著な特徴が明らかになるであろう。
【図面の簡単な説明】
【００１１】
以下の図面とともに本発明の以下の詳細な説明を読むと、上述の本発明の特徴がより明白に理解されるであろう。
【図１】可搬式防護システムの一実施形態の斜視図である。
【図２】可搬式防護システムのトラスの一実施形態の斜視図であり、拡張位置におけるトラスが示される。
【図３】図２のトラスの部分分解斜視図であり、第１の壁フレームが第２の壁フレームから分解されている収縮位置におけるトラスが示される。
【図４】本発明の別の実施形態のトラス部分の斜視図であり、拡張位置におけるトラスが示される。
【図５】図４のトラスの拡張可能な支持部材の斜視図であり、拡張位置における拡張可能な支持部材が示される。
【図６】図４のトラスの別の拡張可能な支持部材の斜視図であり、拡張位置における拡張可能な支持部材が示される。
【図７】図４のトラスの実施形態の斜視図であり、収縮位置におけるトラスが示される。
【図８】図４のフレームの拡張可能な支持部材の斜視図であり、収縮位置における拡張可能な支持部材が示される。
【図９】拡張可能な支持部材および付随するロックの拡大された部分斜視図である。
【図１０】図４のトラスの一部分の部分斜視図であり、トラスの中空ピース、ポストおよびロック部分が示され、中空ピースとポストとは、互いに離間し、拡張されている。
【図１１】図４のトラスの一部分の部分斜視図であり、トラスの中空ピース、ポストおよびロック部分が示され、ポストが中空ピース内に受容されている。
【図１２】本発明の一実施形態の防護部材の部分斜視図であり、閉位置における窓が示される。
【図１３】本発明の一実施形態の防護部材の部分斜視図であり、開位置における窓が示される。
【図１４】図２に示されたトラスの保持部材の部分斜視図であり、自由位置で保持部材に係合している防護部材のコネクタが示される。
【図１５】図１４の保持部材の部分斜視図であり、当接位置で保持部材に係合している防護部材のコネクタが示される。
【図１６】可搬式防護システムの別の実施形態を示す斜視図である。
【図１７】図１６の実施形態を示す斜視図であり、支柱が含まれる。
【図１８】複数の可搬式防護システムで形成された防護壁の斜視図であり、ルーフ構造が示される。
【図１９】図１８のルーフ構造のルーフトラスを示す斜視図である。
【図２０】可搬式防護システムの別の実施形態を示す斜視図である。
【図２１】図２のトラスを示す斜視図であり、可撓性の装甲ブランケットが含まれる。
【発明を実施するための形態】
【００１２】
図１に、本発明の一実施形態による可搬式防護システムを示す。可搬式防護システムまたはシステムは、本明細書および添付の各図において、１０で指定される。例示された実施形態では、可搬式防護システム１０は、一般に、選択的に収縮および拡張することができるトラス１００を含み、このトラス１００は、拡張位置に構成されるとき、少なくとも１つの防護部材１０２を担持および支持するように適合される。トラス１００は、アルミニウム、スチール、繊維強化複合材、ポリマーなどのような実質的に剛性の材料で製造される。以下でさらに詳細に説明するように、トラス１００は、拡張位置と収縮位置の間で選択的に構成されるように適合される。
【００１３】
図２に、拡張位置に組み立てられたトラス１００の一実施形態を示す。図２を参照すると、トラス１００は、実質的に平行で重なり合った構成になされた第１の壁フレーム１０６および第２の壁フレーム１０８を含む。壁フレーム１０６、１０８は、各々、実質的に共面構成で、第１の側部部材１１８および第２の側部部材１２０と、第１の側部部材１１８および第２の側部部材１２０に固定され、その間に延びる第１の端部部材１２２および第２の端部部材１２４とを含む。第１の側部部材１１８および第２の側部部材１２０は、第１の対向する内部表面１５２、１５４を含む。例示された実施形態では、複数の中央ブレース１６０が提供され、少なくとも１つの中央ブレース１６０が第１の対向する内部表面１５２、１５４の間に延び、それにより、壁フレーム１０６、１０８が各々２つの区画に分割される。壁フレーム１０６、１０８の各々の第１の側部部材１１８は、第２の対向する内部表面１６２、１６４を含み、壁フレーム１０６、１０８の各々の第２の側部部材１２０は、第３の対向する内部表面１６６、１６８を含む。
【００１４】
第１の壁フレーム１０６および第２の壁フレーム１０８は、複数の支持フレーム１１０、１１２、１１４、１１６により、互いに対して離隔して保持される。拡張位置に構成されるときに、トラス１００に対して剛性の支持を提供するように、第１の壁フレーム１０６および第２の壁フレーム１０８を互いに空間的な関係で解除可能に固定するように、支持フレーム１１０、１１２、１１４、１１６が作用する。図２に示されるように、例示された実施形態では、４つの支持フレーム１１０、１１２、１１４、１１６が提供される。第１の壁フレーム１０６の第１の側部部材１１８と第２の壁フレーム１０８の第１の側部部材１１８との間に第１の支持フレーム１１０が延びる。第１の壁フレーム１０６の第２の側部部材１２０と第２の壁フレーム１０８の第２の側部部材１２０との間に第２の支持フレーム１１２が延びる。第１の壁フレーム１０６の第１の端部部材１２２と第２の壁フレーム１０８の第１の端部部材１２２との間に第３の支持フレーム１１４が延び、第１の壁フレーム１０６の第２の端部部材１２４と第２の壁フレーム１０８の第２の端部部材１２４との間に第４の支持フレーム１１６が延びる。当業者には、互いに近接した定位置に第１の壁フレーム１０６および第２の壁フレーム１０８を維持するのに好適な支持フレームに関する多数の構成が認識されよう、また、かかる構成は、本発明の趣旨および範囲から逸脱することなく使用することができる。
【００１５】
上述のように、トラス１００は、選択的に収縮および拡張されるように適合される。いくつかの実施形態では、第１の壁フレーム１０６および第２の壁フレーム１０８は、拡張位置と収縮位置の間で互いに近接して、選択的に再配置できるように適合される。たとえば、例示された実施形態では、ラッチ、フック・ループファスナ、ナット・ボルト組立体、または他のそのような解除可能なファスナなど、解除可能なファスナによって、支持フレーム１１０、１１２、１１４、１１６の各々が第１の壁フレーム１０６に拡張位置で選択的に固定される。図３に示されるように、ヒンジ１０４によって、支持フレーム１１０、１１２、１１４、１１６の各々は、第２の壁フレーム１０８に回転可能に接続される。この実施形態では、第１の壁フレーム１０６を支持フレーム１１０、１１２、１１４、１１６の各々から解除することによって、トラス１００は、収縮位置に選択的に構成される。第１の壁フレーム１０６が解除されると、支持フレーム１１０、１１２、１１４、１１６の各々は、隣り合ったヒンジ１０４を中心にして第２の壁フレーム１０８に対して選択的に回転され、それにより、第１の壁フレーム１０６および第２の壁フレーム１０８を収縮位置で選択的に積み重ねることが可能になり、支持フレーム１１０、１１２、１１４、１１６の各々が、その間で実質的に共面構成で設けられる。別の実施形態では、解除可能なファスナによって、拡張位置で第１の壁フレーム１０６と第２の壁フレーム１０８の両方に支持フレーム１１０、１１２、１１４、１１６の各々が選択的に固定され、それにより、壁フレーム１０６、１０８から支持フレーム１１０、１１２、１１４、１１６の各々を接続解除し、様々な支持フレームおよび壁フレームを積み重ねることによって、トラス１００は選択的に収縮できる。
【００１６】
図４〜図１０に、トラス１００ａの別の実施形態を示す。この実施形態では、トラス１００ａは、支持フレーム１１０ａ、１１２ａ、１１４ａ、１１６ａのいずれかから壁フレーム１０６、１０８のいずれかを選択的に接続解除することなく、選択的に収縮および拡張することができる。この実施形態では、拡張可能な支持部材によって各支持フレーム１１０ａ、１１２ａ、１１４ａ、１１６ａが規定される。図５および図６を参照すると、支持フレーム１１０ａ、１１２ａ、１１４ａ、１１６ａは各々、第１のゲート１８０を含み、この第１のゲート１８０は、に第１のヒンジ１８４により、第１のゲート１８０および第２のゲート１８２の内側縁部１４０、１４２に沿って第２のゲート１８２回転可能に接続されている。第１のゲート１８０および第２のゲート１８２の対向する外側縁部１８６、１８８は、それぞれ、第１のフレーム１０６および第２のフレーム１０８に、第２のヒンジ１９０および第３のヒンジ１９２により回転可能に接続される。支持フレーム１１０ａ、１１２ａ、１１４ａ、１１６ａの各々について、第１のゲート１８０は、第２のゲート１８２に近接して第１のヒンジ１８４を中心にして回転して、トラス１００ａが収縮しているとき（図７および図８参照）には積層構成になり、トラス１００ａが拡張しているとき（図４および図５）にはサイドバイサイド構成になる。
【００１７】
各ゲート１８０、１８２の対向する端部１９４、１９６の間に支持ブレース１９３が延びる。ゲート１８０、１８２は各々、ゲート１８０、１８２がサイドバイサイド拡張位置へと回転したときに隣り合ったゲートと係合する重複延長部１９５を規定する。例示された実施形態では、各ゲート１８０、１８２の対向する端部１９４、１９６の各々には、重複延長部１９５と係合してゲート１８０、１８２を拡張位置で解除可能に係止するために、ロック１３０が提供される。図９に、ロック１３０のうち１つを示すために切り取られた支持フレーム１１０ａの一部分を示す。例示された実施形態では、各ゲート１８０、１８２の対向する端部１９４、１９６の各々が貫通ボア１５０を規定する。各ロック１３０は、貫通ボア１５０に近接して協働するゲート端部１９４、１９６上に設けられたハウジング１３４を含む。また、貫通ボア１５０を通って延びるためにばね付勢されたピン１３２も含まれる。各重複延長部１９５は、ゲート１８０、１８２がサイドバイサイド拡張位置まで回転したときに、協働するゲート端部１９４、１９６の貫通ボア１５０と実質的に整列するように構成された協働する貫通開口部１４４を規定する。この構成では、貫通ボア１５０および協働する開口部１４４を通ってピン１３２が延びることにより、それぞれ対応するゲート１８０、１８２をサイドバイサイド拡張位置で係止できるようになる。
【００１８】
ばねの付勢に抵抗してハウジング１３４内にピン１３２を維持し、貫通ボア１５０からピン１３２を選択的に引き抜くことを可能にするために、各々のばね付勢されたピン１３２にリング１３６が固定される。図９に示されるように、ハウジング１３４は、リング１３６を受容し、ピン１３２がハウジング１３４内から貫通ボア１５０を通って摺動できるようにするように適合される複数のスロット１３８を備えている。スロット１３８からリング１３６を引き抜き、ハウジング１３４の複数のインデント１４６にリング１３６が係合するまでリング１３６を回すことによって、貫通ボア１５０からピン１３２が解除され、それにより、ピン１３２を貫通ボア１５０から後退させたままにすることが可能になる。このようにして、第１のフレーム部分１０６および第２のフレーム部分１０８を収縮位置で選択的に固定することができるように、ロック１３０は、選択的に係止および係止解除することができる。当業者は、当然、限定的ではなく、ファスナ、摩擦係合などを含めて、第１のフレーム部分１０６および第２のフレーム部分１０８を収縮位置で選択的に係止および係止解除するのに好適な数多くのデバイスおよび構成と、そのようなデバイスおよび構成が、本発明の趣旨および範囲から逸脱することなく使用することができること、とを認識するであろう。
【００１９】
上述の内容から、第１の拡張可能な部材１１０、第２の拡張可能な部材１１２、第３の拡張可能な部材１１４、および第４の拡張可能な部材１１６は、トラス１００を収縮および拡張するための任意の拡張可能な部材または拡張部材とすることができることが理解されよう。たとえば、一実施形態では、フレーム部分のうち１つに単一のゲートが枢動可能に取り付けられ、フレームか収縮するときに、内向きまたは外向きに枢動する。当業者は、テレスコープ式部材、ツイストロックシリンダ、枢動可能に相互接続可能なストラット、ばねなどを含めて、その他の拡張可能な部材／拡張部材を本発明の趣旨および範囲から逸脱することなく採用することができることを認識するであろう。
【００２０】
図４の実施形態では、第２のフレーム１０８に近接して第１のフレーム１０６を収縮位置に選択的に係止するために、第１のフレーム１０６と第２のフレーム１０８との間に少なくとも１つのロック１３０が設けられている。図１０および図１１に示されるように、第１のフレーム１０６の各隅部に中空ピース１２６が設けられ、この中空ピース１２６は第２のフレーム１０８に向かって片持ち式に延びるように構成されている。各中空ピース１２６の各々の片持ち端部１２８は、ロック１３０を備える。各中空ピース１２６が第１のフレーム１０６の周りに設けられている場合、各ポスト１４８が協働する中空ピース１２６内に受容され、中空ピース１２６と係合するように適合されるような構成で、第２のフレーム１０８から第１のフレーム１０６に向かって延びるようにポスト１４８が提供される。ポスト１４８を中空ピース１２６に選択的に連結するために、各中空ピース１２６に装着された各ロック１３０が協働するポスト１４８に係合するように適合され、それにより、トラス１００が収縮位置にあるとき、第２のフレーム１０８を、第１のフレーム１０６に近接して固定させる。
【００２１】
図１０および図１１に示されるように、各中空ピース１２６は、貫通ボア１５０を規定する。上述したように、各ロック１３０は、協働する貫通ボア１５０上に設けられたハウジング１３４を含み、各ロック１３０は、さらに、貫通ボア１５０を通って延びるようにばね付勢されたピン１３２を含む。各ポスト１４８は、ポスト１４８が中空ピース１２６内に受容されたときに、協働する中空ピース１２６の貫通ボア１５０と実質的に整列するように構成された協働する開口部１４４を規定する（図１１参照）。この実施形態では、貫通ボア１５０と協働する開口部１４４とを通ってピン１３２を選択的に延ばすことにより、各協働する中空ピース１２６内にそれぞれ対応するポスト１４８を選択的に係止できるようになる。当業者は、当然、限定的ではなく、ファスナ、摩擦係合などを含めて、第１のフレーム部分１０６および第２のフレーム部分１０８を収縮位置で選択的に係止および係止解除するのに好適な多数のデバイスおよび構成と、そのようなデバイスおよび構成が、本発明の趣旨および範囲から逸脱することなく使用することができること、とを認識するであろう。
【００２２】
図１を参照すると、各防護部材１０２は、一般に、弾道材料で製造されたパネル１７２を含む。パネル１７２は、スチール、弾道セラミック、ガラスセラミック、弾道ポリマー、発泡金属装甲、または弾道発射物を粉砕するのに好適な他のそのような装甲材料などの実質的に剛性の弾道材料の少なくとも１つの層によって規定される。一実施形態では、パネル１７２は、実質的に剛性の弾道材料の複数の層で製造される。その他の実施形態では、パネル１７２は、実質的に剛性の弾道材料の少なくとも１つの層と、破砕ブランケット、ガラス繊維、可撓性ポリマー、または弾道発射物をさらに粉砕できるその他の材料などの実質的に可撓性の弾道材料の少なくとも１つの層とを含む。また、その他の実施形態では、パネル１７２は、化学攻撃に耐えることができるポリマーまたはその他の材料などの化学的に耐性のある材料の少なくとも１つの層を含む。
【００２３】
各パネル１７２は、装甲壁システム１０を形成するために、トラス１００に解除可能に固定されるように適合される。例示された実施形態では、各パネル１７２は、実質的に矩形であり、パネル１７２の２つの隣接する縁部に沿った傾斜したセクション１７３と、パネル１７２の残りの２つの縁部に沿った平坦なセクション１７５とを規定する。この実施形態では、パネル１７２の各傾斜したセクション１７３は、隣接するパネル１７２の対応する平坦な縁部１７５と重なるように適合され、それにより、隣接するパネル１７２同士の間の継ぎ目が、傾斜したセクション１７３により実質的に覆われ、強化される。当業者は、当然、隣接するパネル１７２同士の間の継ぎ目を強化することができるその他の好適な構成と、本発明の趣旨および範囲から逸脱することなく、そのようなその他の構成を使用することができることを認識するであろう。この点において、隣接するパネル１７２の縁部の相互係止および隣接するパネル１７２の単純な摩擦係合が考慮される。
【００２４】
図２を参照すると、防護部材１０２を解除可能に支持するために、第１のフレーム１０６および第２のフレーム１０８の少なくとも１つの上に、複数の保持部材１７４が提供されている。図１４および図１５に示されるように、第１のフレーム１０６および第２のフレーム１０８のうち１つの保持部材１７４の少なくとも一部分に、パネル１７２を解除可能に固定できるようにするために、各防護部材１０２は、パネル１７２の少なくとも１つの平らな表面上に設けられた好適なコネクタ２０２を含む。例示された実施形態では、パネル１７２の１つの表面に沿って複数のフック２０２が設けられる。フック２０２は、第１のフレーム１０６および第２のフレーム１０８のうち１つに防護部材１０２を固定するために、保持部材１７４の少なくとも１つに係合するように構成される。少なくとも１つのフック２０２に近接して細長の枢動部材２０４が提供される。図１４および図１５に示されるように、枢動部材２０４は、自由位置（図１４）と当接位置（図１５）の間でパネル１７２に沿って選択的に回転できるように構成される。フック２０２が協働する保持部材１７４と係合すると、各枢動部材２０４を当接位置で選択的に配置することができ、それにより、回転可能な部材がストップを提供して、協働するフック２０２から協働する保持部材１７４が係合解除しないようになる。したがって、回転可能な部材２０４は、防護部材１０２のトラス１００への解除可能な係合を選択的に係止および係止解除するための手段を提供する。
【００２５】
図１および図２の例示された実施形態では、防護部材１７４は、第１のフレーム１０６および第２のフレーム１０８のうち１つの一方の区画を実質的に覆うようにサイズ設定される。第１のフレーム１０６および第２のフレーム１０８の各区画内に複数の保持部材１７４が配置される。この実施形態では、一方の区画内に配置された協働する保持部材１７４は、１つの防護部材１０２を支持するのに対し、他方の区画内に配置された協働する保持部材１７４は、少なくとも１つの他の防護部材１０２を支持する。ただし、当業者は、本発明の趣旨および範囲から逸脱することなく、防護部材１７４のサイズを変更できることを認識するであろう。この点において、別の実施形態では、一方の区画に設けられた保持部材１７４の一部分は、１つの防護部材１０２を支持するために協働し、他方、その区画内に設けられた保持部材１７４の他方の一部分は、少なくとも１つの他の防護部材１０２を支持するために協働する。さらに別の実施形態では、第１のフレーム１０６および第２のフレーム１０８のうち１つの上に提供されたすべての保持部材１７４は、単一の防護部材１０２を支持するように協働する。
【００２６】
図１２および図１３を参照すると、一実施形態では、少なくとも１つの防護部材１０２は、窓２１６を含む。窓２１６は、ユーザが、パネル１７２を超えて環境の一部分に少なくとも視覚的にアクセスできるようにサイズ設定され、成形される。例示された実施形態では、窓２１６は、パネル１７２によって規定されたポータル２１８を含む。窓ガラス２２０は、ユーザが、ポータル２１８を通って選択的にアクセスできるようにするために、ポータル内に選択的に固定できる。例示された実施形態では、窓ガラス２２０は、ポータル２１８の１つの縁部２２２に沿ってヒンジ留めされ、窓ガラス２２０をポータル２１８内で閉位置に固定するのに好適なファスナ２２８が提供され、それにより、窓２１６は選択的に開閉可能になる。一実施形態では、窓ガラス２２０は、たとえば、スチール、弾道セラミック、弾道ポリマー、または他のそのような材料など、パネル１７２と実質的に類似した弾道材料から製造される。別の実施形態では、窓ガラス２２０は、ガラスセラミック、透明な弾道ポリマー、硼珪酸ガラス、強化ガラス、または他のそのような透明材料などの透明な弾道装甲から製造される。より具体的な実施形態では、透明な弾道装甲製の窓ガラス２２０がポータル２１８内に固定され、さらに、窓ガラス２２０を選択的に覆い、固定された透明な弾道装甲窓ガラスを通って選択的に観察できるように、半透明な選択的に開閉可能な扉が提供される。
【００２７】
当業者は、脅威レベルに応じて、トラス１００の前部または後部、あるいは両方に結合および装着できる、様々な組合せおよびタイプの防護部材１０２を認識するであろう。たとえば、脅威レベルが小火器である場合には、トラス１００の前部に装着されたセラミックタイルパネルで十分である。図２１を参照すると、より強力な兵器の脅威に対して、複層化された防護部材１０２をトラス１００の前部に装着し、破砕ブランケット５００を後部に装着することができる。図２０に例示された実施形態のようないくつかのさらに具体的な実施形態では、トラス１００の内部空間は、土嚢、あるいはコンクリート、岩、水、ゲル、濃縮流体、または他のそのような分散性材料など、分散性材料を充填した他のそのような容器を含むように適合される。たとえば、図２０に示された実施形態では、トラス１００の内部に少なくとも１つの土嚢５０２が提供される。さらに、トラス１００内の高い位置に少なくとも１つの土嚢を吊るすために、少なくとも１つの吊り具５０４が提供される。
【００２８】
いくつかの実施形態では、第１の壁フレーム１０６と第２の壁フレーム１０８の第２および第３の対向する内部表面１６２、１６４、１６６、１６８の各々の上に追加の保持部材１７４が提供される。図１６に示されるように、これらの追加の保持部材１７４は、第１のフレーム１０６と第２のフレーム１０８の間に少なくとも１つの端部防護部材３００を解除可能に支持するように適合される。端部防護部材３００は、第１の壁フレーム１０６と第２の壁フレーム１０８の間にトラス１００の内部の一部分を取り囲んで、トラス１００の内部に追加の弾道防護を提供するだけでなく、システム１０に追加の構造的支持を提供するように作用する。ただし、当業者は、本発明を達成するために、端部防護部材３００を必ずしも含む必要がないことを認識するであろう。
【００２９】
図１７に、本発明のいくつかの実施形態のさらなる特徴を示す。図１７に示されるように、トラス１００を実質的に直立位置で支持するために、支柱３０２が提供される。該支柱は、壁フレーム１０６、１０８の第１の側部部材１１８および第２の側部部材１２０のうち少なくとも１つに沿ってトラス１００に固定されるように適合される実質的に剛性の直立ビーム３０４を含む。直立ビーム３０４に固定された近位端部３０８と、遠位端部３１０とを有するフロアビーム３０６が提供され、このフロアビーム３０６は、直立ビーム３０４から、地面またはその他のフロア表面など、フロア表面に向かって延びている。フロアビーム３０６は、直立ビーム３０４を実質的に直立構成でフロア表面に近接して固定するために、フロア表面に係合する。例示された実施形態では、直立ビーム３０４の底端部３１２にフロアビーム３０６の近位端部３０８が固定され、それにより、直立構成で直立ビーム３０４を支持するために、フロアビーム３０６が直立ビーム３０４からフロア表面に沿って直交方向に延びることが可能になる。ただし、直立ビーム３０４とフロアビーム３０６の直交関係が本発明を達成するために必要ではないことが、当業者には理解されよう。この点において、別の実施形態では、フロアビーム３０６の近位端部３０８は、直立ビーム３０４の上側部分に固定され、フロアビーム３０６は、下向きに鋭角に直立ビーム３０４まで延びて、フロア表面に接触する。
【００３０】
図１７に示されるように、フロアビーム３０６の遠位端部３１０は、貫通開口部３１４を規定する。支柱をフロア表面に近接して定位置に固定するために、杭３１６は、貫通開口部３１４によって受容され、フロア表面中に打ち込まれるように適合される。当業者は、当然、支柱３０２をフロア表面に近接して固定するのに好適なその他のコネクタと、そのようなコネクタは、本発明の趣旨および範囲から逸脱することなく使用することができることを認識するであろう。
【００３１】
各トラス１００は、隣接するトラス１００に係合するための手段を含む。たとえば、図２の実施形態では、第１の壁フレーム１０６および第２の壁フレーム１０８は複数の孔５０８を備える。各孔５０８は、隣接するトラス１００の対応する孔と実質的に整列するように構成される。協働する孔５０８が実質的に整列するように、複数のトラスがサイドバイサイド構成で配置されるとき、各孔５０８は、ボルト、ねじ、ピン、またはその他の好適なコネクタなど、標準的なコネクタを受容するように適合される。
【００３２】
図４の実施形態では、コネクタ２０６は、隣接するトラス１００上に設けられたピン５１０と整列するように構成された開口部２１０を規定するブラケット２０８を含む。ブラケット２０８は、トラス１００から全体的に外向きに、支持フレーム１１０、１１２、１１４、１１６から離れるように延びる。ブラケット２０８と隣り合ったトラス１００の対応するピン５１０とが整列するように複数のトラス１００を互いに隣接して配置すると、ピン５１０は、トラス１００を隣接構成で固定するために開口部２１０内に受容されるように適合される。例示された実施形態では、支持フレーム１１０、１１２、１１４、１１６上にコネクタ２０６が設けられるが、代替的には、コネクタ２０６は、本発明の趣旨および範囲から逸脱することなく、トラス１００の壁フレーム部分１０６、１０８上に提供することができることが理解されよう。さらに、ブラケット２０８およびピン５１０の代わりに、ボルト、フック、クリップ、ラッチ、タイなどのような任意の既知のコネクタを使用して、複数のトラス１００を一緒に結束できることが理解されよう。
【００３３】
当業者は、複数のトラス１００をサイドバイサイド構成で設置し、１つのトラス１００の側部、頂部、および底部を他のトラス１００と解除可能に接続してシステム１０の防護壁１２を形成できることを認識するであろう。特定のニーズを満たすために、複数のフレーム１００をサイドバイサイド構成またはエンドツーエンド構成で一緒に結束することにより、可搬式防護システムを数多くのモジュラ構成で形成することが可能になる。たとえば、図１８に、３側部構造を形成するために、複数のシステム１０を隣合わることによって形成された防護壁１２を示す。図１８に示された実施形態では、防護壁１２の内部を覆い、頭上の弾道の脅威からの弾道防護を提供するために、ルーフ構造４００が提供される。
【００３４】
図１８および図１９に示されるように、ルーフ構造４００は、少なくとも１つのトラス１００の第１の端部部材１２２および第２の端部部材１２４のうち少なくとも１つに固定されるように適合される装着レール４０４を有するルーフトラス４０２を含む。装着レール４０４は、角度をつけた構成で装着レール４０４に固定された複数のルーフフレーム４０６を担持および支持し、中央ゲーブル４０８に沿って接触する。複数のルーフ防護部材４１０は、実質的に取り囲まれたルーフ表面を形成するためにまとめて成形される。防護部材１０２に関して上述したように、ルーフ防護部材４１０は、ルーフ防護部材４１０をルーフフレーム４０６に解除可能に装着するために、ルーフフレーム４０６に解除可能に係合するのに好適なコネクタを備える。
【００３５】
システム１０は、弾道防護、爆破防護、および化学防護を含む様々な防護のニーズに使用されるように適合される。任意の数のトラス１００は、あらゆるニーズに応えるために、様々な壁構成で一緒に結束することができる。各トラス１００は、持ち運び可能で軽量かつ自立式である。また、各トラス１００は、収縮位置（図３）から拡張位置（図２）に容易に組み立てることができ、保管および輸送のために解体することができる。本発明の可搬式防護システム１０は容易に移動可能で、任意の場所に素早く設置することができ、防護部材１０２は、あらゆるレベルの脅威に応えるように調節および変更することができる。上述のシステム１０では、防護壁は、最小限の道具を必要するだけで、任意の構成で素早く容易に設置することができる。システム１０はまた、防護部材１０２のコネクタ２０６を選択的に接続解除し、防護部材１０２を各フレームから取り外し、トラス１００を収縮することによって、素早く解体することができる。各トラス１００が本質的に軽量であるので、フレームは、別の防護壁を設置するために、別の場所に容易に移動させることができる。
【００３６】
いくつかの実施形態を説明することにより本発明を説明し、例示的な実施形態を詳細に説明してきたが、本出願は、添付の特許請求の範囲をそのような詳細に限定する、またはあらゆる方法で制限すること意図するものではない。さらなる修正形態が当業者には容易に明らかになろう。したがって、より広い態様における本発明は、図示され説明された特定の詳細、代表的な装置および方法、ならびに例示的な実施例に限定されるものではない。したがって、出願人の全体的な本出願の概念の趣旨または範囲から逸脱することなく、そのような詳細から逸脱することがある。
【図１】
2012506989.tif 000003
【図２】
2012506989.tif 000004
【図３】
2012506989.tif 000005
【図４】
2012506989.tif 000006
【図５】
2012506989.tif 000007
【図６】
2012506989.tif 000008
【図７】
2012506989.tif 000009
【図８】
2012506989.tif 000010
【図９】
2012506989.tif 000011
【図１０】
2012506989.tif 000012
【図１１】
2012506989.tif 000013
【図１２】
2012506989.tif 000014
【図１３】
2012506989.tif 000015
【図１４】
2012506989.tif 000016
【図１５】
2012506989.tif 000017
【図１６】
2012506989.tif 000018
【図１７】
2012506989.tif 000019
【図１８】
2012506989.tif 000020
【図１９】
2012506989.tif 000021
【図２０】
2012506989.tif 000022
【図２１】
2012506989.tif 000023
【国際調査報告】
2012506989.tif 000024